(57)【要約】      （修正有）【課題】外出先で使用する必要がある実用品を携帯しうる袋物用下げ飾りを提供する。【解決手段】袋物に対する吊下手段が設けられた外被部材１３に収納部２８が形成されると共に、実用的な機能を有して上記外被部材の収納部に収納されて保持されうるように形成された格納部材１４とを有する。上記格納部材は柔軟性素材により形成され、折畳状態で上記外被部材の収納部に収納されると共に、上記収納部から取り出して拡開した状態で使用されるように形成されている。上記収納部材はバッグ状に形成され、同収納部材内に収納した携帯用音響機器に繋いだイヤホンコードを外部に取り出して使用しうるコード貫通部が設けられている。【選択図】図１
0003115324.tif 000002
【実用新案登録請求の範囲】
【請求項１】
袋物に対する吊下部材が設けられた外被部材に収納部が形成されると共に、実用的な機能を有して上記外被部材の収納部に収納されて保持されうるように形成された格納部材とを有することを特徴とする袋物用下げ飾り。
【請求項２】
上記格納部材は柔軟性素材により形成され、折畳状態で上記外被部材の収納部に収納されると共に、上記収納部から取り出して拡開した状態で使用されるように形成されていることを特徴とする請求項１記載の袋物用下げ飾り。
【請求項３】
上記格納部材は、内部に物品を収納しうる収納部材として形成されていることを特徴とする請求項２記載の袋物用下げ飾り。
【請求項４】
上記収納部材はバッグ状に形成され、同収納部材内に収納した携帯用音響機器に繋いだイヤホンコードを外部に取り出して使用しうるコード貫通部が外皮材に設けられていることを特徴とする請求項３記載の袋物用下げ飾り。
【請求項５】
上記格納部材は着衣として形成されていることを特徴とする請求項２記載の袋物用下げ飾り。
【請求項６】
上記外被部材はハガキサイズよりも小さい小型バッグ状に形成されていることを特徴とする請求項１〜５記載の袋物用下げ飾り。
【請求項７】
上記吊下部材は一部を分離可能なリング状に形成され、上記袋物の持ち手に係合させて吊り下げうるように形成されていることを特徴とする請求項１〜６記載の袋物用下げ飾り。
【考案の詳細な説明】
【技術分野】
【０００１】
本考案は袋物用下げ飾りに係り、特に、装飾のみでなく、実用的な機能も有する袋物用下げ飾りに関する。
【背景技術】
【０００２】
バッグ等の袋物に吊り下げる下げ飾りは、キャラクタ等の人形として形成されているものが多いが、これらは装飾的な機能のみを有するものであった。
【０００３】
バッグ等を携帯して外出した場合、出先で急に必要になる実用品が存在する。
例えば、買物をした場合に、購入した物品を収納しうる買物袋が必要になり、又、雨が急に降ってきた場合にはレインコートなどが必要になる。
【０００４】
これら実用品を携帯する場合は一般的にバッグ等に収納して携帯するが、そのためにバッグ等の収納スペースが制約されてしまうという不具合がある。
【０００５】
従って、上記実用品をバッグ等に収納せずに、しかもバッグ等と一緒に携帯しうる用具が要望されている。
【０００６】
本出願人は、上記要望に応え得る用具について先行技術を調査したが、関連する先行技術文献を見出すことはできなかった。
【考案の開示】
【考案が解決しようとする課題】
【０００７】
そこで本考案の課題は、外出先で使用する必要がある実用品を携帯しうる袋物用下げ飾りを提供することにある。
【課題を解決するための手段】
【０００８】
上記課題を解決するために、請求項１記載の本考案に係る袋物用下げ飾りは、袋物に対する吊下部材が設けられた外被部材に収納部が形成されると共に、実用的な機能を有して上記外被部材の収納部に収納されて保持されうるように形成された格納部材とを有することを特徴とする。
【０００９】
即ち、請求項１記載の本考案に係る袋物用下げ飾りにあっては、吊下部材と、外被部材と、格納部材とから成り、上記外被部材には収納部が設けられ、上記格納部材は上記収納部に収納され、上記外被部材は上記吊下部材により袋物に吊り下げられるものである。
【００１０】
また、請求項２記載の本考案に係る袋物用下げ飾りは、上記格納部材は柔軟性素材により形成され、折畳状態で上記外被部材の収納部に収納されると共に、上記収納部から取り出して拡開した状態で使用されるように形成されていることを特徴とする。
【００１１】
即ち、請求項２記載の本考案に係る袋物用下げ飾りにあっては、上記格納部材は柔軟性素材により形成されているため、折畳状態にされて、上記外被部材の収納部に収納されるが、使用する場合は、上記収納部から取り出して、拡開した状態で使用するものである。
【００１２】
また、請求項３記載の本考案に係る袋物用下げ飾りは、上記格納部材は、内部に物品を収納しうる収納部材として形成されていることを特徴とする。
【００１３】
即ち、請求項３記載の本考案に係る袋物用下げ飾りにあっては、上記外被部材の収納部に収納される上記格納部材も収納機能を有し、内部に物品を収納しうるように形成されている。
【００１４】
また、請求項４記載の本考案に係る袋物用下げ飾りは、上記収納部材はバッグ状に形成され、同収納部材内に収納した携帯用音響機器に繋いだイヤホンコードを外部に取り出して使用しうるコード貫通部が外皮材に設けられていることを特徴とする。
【００１５】
即ち、請求項４記載の本考案に係る袋物用下げ飾りにあっては、上記格納部材は収納部材として携帯用音響機器を収納しうるバッグ状に形成され、かつ、その外皮材にはコード貫通部が形成され、上記携帯用音響機器に繋いだイヤホンコードを上記コード貫通部から外部に取り出して使用しうるように構成されている。
【００１６】
また、請求項５記載の本考案に係る袋物用下げ飾りは、上記格納部材は着衣として形成されていることを特徴とする。
【００１７】
即ち、請求項５記載の本考案に係る袋物用下げ飾りにあっては、上記格納部材はレインコートやエプロン等の着衣として形成され、それら着衣が折畳状態で上記外被部材における上記収納部に収納されている。
【００１８】
また、請求項６記載の本考案に係る袋物用下げ飾りは、上記外被部材はハガキサイズよりも小さい小型バッグ状に形成されていることを特徴とする。
【００１９】
即ち、請求項６記載の本考案に係る袋物用下げ飾りにあっては、上記外被部材は収納部に折畳状態の上記格納部材を収納しても、大きくなり過ぎないようにハガキサイズより小さいサイズに形成されている。ハガキサイズより大きくなると下げ飾りとして見栄えが良くなく、不適切であるからである。また、デザイン上の興趣を高めるために、上記外被部材のデザインを吊り下げる袋物に関連させ、小型バッグ状にしている。
【００２０】
また、請求項７記載の本考案に係る袋物用下げ飾りは、上記吊下部材は一部を分離可能なリング状に形成され、上記袋物の持ち手に係合させて吊り下げうるように形成されていることを特徴とする。
【００２１】
即ち、請求項７記載の本考案に係る袋物用下げ飾りにあっては、上記吊下部材が上記袋物の持ち手に係合しやすいように、かつ、デザイン的な装飾性も有するようにリング状に
形成されている。
【考案の効果】
【００２２】
請求項１記載の本考案に係る袋物用下げ飾りは、袋物に対する吊下部材が設けられた外被部材に収納部が形成されると共に、実用的な機能を有して上記外被部材の収納部に収納されて保持されうるように形成された格納部材とを有することから、実用的な機能を有する上記格納部材を上記外被部材における上記収納部に収納すると共に、上記吊下部材を介して上記外被部材を袋物に吊り下げることにより、上記格納部材を上記袋物に収納することなく、上記袋物と一緒に携帯して外出することができる。
従って、外出先で必要が生じた場合に上記格納部材を取り出して使用することができる利便性がある。
【００２３】
また、請求項２記載の本考案に係る袋物用下げ飾りは、上記格納部材は柔軟性素材により形成され、折畳状態で上記外被部材の収納部に収納されると共に、上記収納部から取り出して拡開した状態で使用されるように形成されていることから、上記格納部材が使用する場合にある程度の大きさを有するものであっても、折畳状態にすることにより支障なく上記外被部材の収納部に収納して携帯することができる利便性がある。
【００２４】
また、請求項３記載の本考案に係る袋物用下げ飾りは、上記格納部材は、内部に物品を収納しうる収納部材として形成されていることから、上記格納部材は例えば買物袋として使用することができるので、スーパーなどで提供されるポリ袋などを使用せずに購入した物品を上記格納部材に収納することにより資源の無駄を省くことができる。
【００２５】
また、請求項４記載の本考案に係る袋物用下げ飾りは、上記収納部材はバッグ状に形成され、同収納部材内に収納した携帯用音響機器に繋いだイヤホンコードを外部に取り出して使用しうるコード貫通部が外皮材に設けられていることから、上記収納部材内に収納した携帯用音響機器に繋いだイヤホンコードをバッグ本体の開口部を通してバッグ本体の外部へ取り出す必要がなく、上記コード貫通部を通して外部に取り出すことができるので、バッグ本体の開口部から物を出し入れする場合にイヤホンコードが邪魔になることがなく、携帯用音響機器を使用する場合の利便性が良い。
【００２６】
また、請求項５記載の本考案に係る袋物用下げ飾りは、上記格納部材が着衣として形成されていることから、例えば上記格納部材をレインコートとして形成すれば、外出先で急に雨が降った場合に着用して雨に濡れるのを防止することができる。また、上記格納部材をエプロンとして形成すれば、訪問した家などで家事の手伝いをすることができる。
【００２７】
また、請求項６記載の本考案に係る袋物用下げ飾りは、上記外被部材がハガキサイズよりも小さい小型バッグ状に形成されていることから、上記外被部材は下げ飾りとして適切なサイズで、袋物に吊り下げても違和感なく、可愛いデザインとなるので、装飾性が高まる。
【００２８】
また、請求項７記載の本考案に係る袋物用下げ飾りは、上記吊下部材は一部を分離可能なリング状に形成され、上記袋物の持ち手に係合させて吊り下げうるように形成されていることから、上記吊下手段をチェーン等で形成することにより、上記吊下手段にも装飾性を持たせることができる。
【考案を実施するための最良の形態】
【００２９】
以下、図面を用いて本考案の実施の形態について説明する。
本実施の形態に係る袋物用下げ飾り１１は、図１及び図３に示すように、袋物１５に対する吊下部材１２が設けられた外被部材１３に収納部２８が形成されると共に、実用的な機能を有して上記外被部材１３の収納部２８に収納されて保持されうるように形成された格納部材１４とを有している。
上記格納部材１４は柔軟性素材により形成され、図１に示すように、折畳状態で上記外被部材１３の収納部２８に収納されると共に、図２に示すように、上記収納部２８から取り出して拡開した状態で使用されるように形成されている。
上記格納部材１４は、図２に示すように、内部に物品を収納しうる収納部材２９として形成されている。
図２に示すように、上記収納部材２９はバッグ状に形成され、同収納部材２９内に収納した携帯用音響機器２２に繋いだイヤホンコード２５を外部に取り出して使用しうるコード貫通部２３が外皮材３０に設けられている。
なお、他の実施形態では、上記格納部材１４を着衣として形成することも可能である。
上記外被部材１３は、図１及び図３に示すように、ハガキサイズよりも小さい小型バッグ状に形成されている。
上記吊下部材１２は、図１及び図３に示すように、一部を分離可能なリング状に形成され、上記袋物１５の持ち手２６に係合させて吊り下げうるように形成されている。
【実施例１】
【００３０】
図は実施例に係る袋物用下げ飾り１１を示したものである。
本実施例に係る袋物用下げ飾り１１は、図１に示すように、吊下部材１２と、外被部材１３と、格納部材１４とにより構成されている。
【００３１】
上記外被部材１３は、図１に示すように、ハガキサイズよりも小さい小型バッグ状に形成されている。
即ち、上記外被部材１３は収納部２８と、一対の持ち手１５を有するバッグ１６として形成されている。
【００３２】
上記格納部材１４は、図１に示すように、上記外被部材１３の上記収納部２８に折畳状態で収納されている。
【００３３】
即ち、上記格納部材１４は柔軟性素材により形成され、通常は折畳状態で上記収納部２８に収納されており、使用する場合に、上記収納部２８から取り出して拡開する。
【００３４】
上記格納部材１４は実用的な機能を有するものであって、本実施例では、図２に示すように、内部に物品を収納しうる収納部材２９として形成されている。
即ち、上記格納部材１４は一対の持ち手２０を有する布製のインナーバッグ１９として形成されている。
【００３５】
なお、他の実施例として、例えば、レインコートやエプロン等の着衣を上記格納部材１４とすることも可能である。
【００３６】
上記収納部材２９として形成された上記インナーバッグ１９には、図２に示すように、その外皮材３０の内面部に内ポケット２１が設けられ、同内ポケット２１にデジタル式携帯用音響機器２２を収納可能としている。
【００３７】
また、上記外皮材３０には、上記デジタル式携帯用音響機器２２に繋いだイヤホンコード２５を外部に取り出してイヤホン２４を使用可能にするようにコード貫通部２３が設けられている。
【００３８】
上記吊下部材１２には、図１に示すように、リング状に形成されたチェーン１７が用いられている。
上記チェーン１７の一部には着脱可能な連結金具１８が取り付けられている。
【００３９】
上記チェーン１７は、図３に示すように、袋物１５として形成されたバッグ２７の持ち手２６に係合させて吊り下げうるように形成され、これにより上記袋物用下げ飾り１１は袋物１５としての上記バッグ２７に吊り下げられている。
【００４０】
次に、上記実施例の作用について説明する。  
上記実施例に係る袋物用下げ飾り１１は、図１及び図３に示すように、袋物１５に対する吊下部材１２が設けられた外被部材１３に収納部２８が形成されると共に、実用的な機能を有して上記外被部材１３の収納部２８に収納されて保持されうるように形成された格納部材１４とを有していることから、外出先で必要になった場合に、上記格納部材１４を上記外被部材１３から取り出して使用することができる。
また、上記格納部材１４は上記袋物１５の内部に収納しないので、上記袋物１５の内部スペースを制約するという不具合がない。
【００４１】
また、上記格納部材１４は柔軟性素材により形成され、図１に示すように、折畳状態で上記外被部材１３の収納部２８に収納されると共に、図２に示すように、上記収納部２８から取り出して拡開した状態で使用されるように形成されていることから、上記格納部材１４を携帯しても邪魔にならない。
【００４２】
また、上記格納部材１４は、図２に示すように、内部に物品を収納しうる収納部材２９として形成され、即ち、バッグ状に形成されていることから、例えば外出先で買物した場合に、購入物品を上記格納部材１４に収納して持ち運ぶことができる。
【００４３】
また、上記収納部材２９内に収納した携帯用音響機器２２に繋いだイヤホンコード２５を外部に取り出して使用しうるコード貫通部２３が外皮材３０に設けられていることから、
上記イヤホンコード２５を上記収納部材２９の開口部を通して外部へ取り出す必要がなく、上記コード貫通部２３を通して外部に取り出すことができるので、上記収納部材２９の開口部から物を出し入れする場合に上記イヤホンコード２５が邪魔になることがなく、携帯用音響機器２２を使用する場合の利便性が良くなる。
【００４４】
また、上記外被部材１３は、図１及び図３に示すように、ハガキサイズよりも小さい小型バッグ状に形成されていることから、上記袋物１５に吊り下げた場合に違和感がなく、デザイン的な興趣が生まれる。
【００４５】
また、上記吊下部材１２は、図１及び図３に示すように、一部を分離可能なリング状に形成され、上記袋物１５の持ち手２６に係合して吊り下げられるので、上記吊下部材１２も装飾性を有し、また、上記吊下部材１２を取り付けるために上記袋物１５に特別な構造を設ける必要がない。
【００４６】
なお、他の実施例として、上記格納部材１４を着衣として形成することも可能であり、その場合は、例えば上記格納部材１４をレインコートとして形成すれば、外出先で急に雨が降った場合に着用して雨に濡れるのを防止することができ、また、上記格納部材１４をエプロンとして形成すれば、訪問した家などで家事の手伝いをすることもできる。
【産業上の利用可能性】
【００４７】
本考案は袋物に取り付ける下げ飾りに適用可能である。
【図面の簡単な説明】
【００４８】
【図１】実施例に係る袋物用下げ飾りの一部切断斜視図である。
【図２】実施例に係る格納部材の斜視図である。
【図３】袋物に装着した使用状態を示す斜視図である。
【符号の説明】
【００４９】
１１  袋物用下げ飾り
１２  吊下部材
１３  外被部材
１４  格納部材
１５  持ち手
１６  バッグ
１７  チェーン
１８  連結金具
１９  インナーバッグ
２０  持ち手
２１  内ポケット
２２  携帯用音響機器
２３  コード貫通部
２４  イヤホン
２５  イヤホンコード
２６  持ち手
２７  バッグ
２８  収納部
２９  収納部材
３０  外皮材
【図１】
0003115324.tif 000003
【図２】
0003115324.tif 000004
【図３】
0003115324.tif 000005